(57)【要約】【構成】横方向のキックバック伸縮性に富むレース生地を素材として裁断された、アンダーバストの正面パーツ１と、正面パーツの上縁に縫合される左右一対のカップパーツ２と、カップパーツの上縁にそれぞれ縫合される同じく左右一対のカップ上パーツ３とからなる少なくとも５パーツを有し、上記左右一対のカップパーツのバストトップ位置ｔからほぼ真下にかけて略扇形のダーツ４を設け、このダーツ部分とともにカップパーツの下縁２ａを上記アンダーバストの正面パーツの上縁１ａにいせ込んで縫合したブラジャー。【選択図】    図１
2004211257.tif 000002
【特許請求の範囲】
【請求項１】
それぞれ横方向のキックバック伸縮性に富むレース生地を素材として裁断された、アンダーバストの正面パーツと、正面パーツの上縁に縫合される左右一対のカップパーツと、カップパーツの上縁にそれぞれ縫合される同じく左右一対のカップ上パーツとからなる少なくとも５パーツを有し、上記左右一対のカップパーツのバストトップ位置からほぼ真下にかけて略扇形のダーツを設け、このダーツ部分とともにカップパーツの下縁を上記アンダーバストの正面パーツの上縁にいせ込んで縫合したことを特徴とするブラジャー。
【請求項２】
前記アンダーバストの正面パーツの裏面上部に、アンダーバストの丸みに沿うよう裁断されたハイパワーのパワーネットを縫合し、正面パーツの背面に備える背面パーツの下縁の裏側に沿って、同じくハイパワーのパワーネットを水平方向に縫合したことを特徴とする請求項１記載のブラジャー。
【請求項３】
前記左右一対のカップパーツの外縁に、それぞれ前記横方向のキックバック伸縮性に富むレース生地を同素材として裁断されたバストサイド片と肩吊り片を縫合し、このバストサイド片と肩吊り片の裏面に、バストサイド片と肩吊り片との連続形状に沿って裁断されたハイパワーのパワーネットを縫合したことを特徴とする請求項１記載のブラジャー。
【請求項４】
前記左右一対のカップパーツの裏面に、該カップパーツのダーツとほぼ同形のダーツを具えて、適宜位置にパットの挿入口を開口させた裏カップを縫合し、この裏カップと、上記カップパーツと前記カップ上パーツのそれぞれの中心線をブラジャーの中心線に一致させるとともに、該裏カップとカップ上パーツの中心線上にタックを設けたことを特徴とする請求項１記載のブラジャー。
【請求項５】
前記左右一対のカップ上パーツは、それぞれに前記中心線を超えて相互に重ね合わされるほぼ三角形の打合せ部分を延設し、この打合せ部分を上記中心線の両側で互いに縫合したことを特徴とする請求項１記載のブラジャー。
【請求項６】
前記正面パーツのセンター裏側に、天竺布製の伸び止め用小片を縫合したことを特徴とする請求項１記載のブラジャー。
【発明の詳細な説明】
【０００１】
【産業上の利用分野】
この発明は、ワイヤレスのフルカップ・ブラに関し、大きさにそれほど左右されずにバストの大きさに応じて、できるだけ自然の形のままにバストを包み込めるようにするとともに、バストの周囲をアンダーバスト、アッパーバストおよび両脇から適宜に緊張できるように改良したことを特長とするものである。
【０００２】
【従来の技術】
従来のワイヤレスのフルカップ・ブラは、バストを強制的に締め付けずにスムーズに着用できることで比較的に幅広い年齢層の人に用いられているが、ブラジャーがバストに合わない場合は、バストをぺちゃっと潰してしまうとか、カップに空洞を生ずるかして着用したブラジャーがバストラインを損ねてしまうおそれがある（例えば、特許文献１参照）。
また、ブラジャーで包まれたバストの形をより良く整えるためにはワイヤーループとかアンダーテープでバストをアンダーバストから適宜に緊張できるようにしたものもある（例えば、特許文献２参照）。
【０００３】
【特許文献１】
特開平７−５４２０１号公報  （第１頁、図１）
【特許文献２】
特開２００２−２９４５０３号公報  （第１頁、図１）
【０００４】
【発明が解決しようとする課題】
本発明が解決しようとする課題は、横方向のキックバック伸縮性に富むレース生地を素材として、バストの大きさに応じてできるだけ自然の形のままにバストを包み込めるようにするとともに、バストの周囲をアンダーバスト、アッパーバストおよび両脇からバストに向けて適宜に緊張させて、安定した着用ができるようにし、幅広い年齢層向けにワイヤレスのブラジャーを改良することにある。
【０００５】
【課題を解決するための手段】
そこで本発明は、それぞれ横方向のキックバック伸縮性に富むレース生地を素材として裁断された、アンダーバストの正面パーツと、正面パーツの上縁に縫合される左右一対のカップパーツと、カップパーツの上縁にそれぞれ縫合される同じく左右一対のカップ上パーツとからなる少なくとも５パーツを有し、上記左右一対のカップパーツのバストトップ位置からほぼ真下にかけて略扇形のダーツを設け、このダーツ部分とともにカップパーツの下縁を上記アンダーバストの正面パーツの上縁にいせ込んで縫合したことを特徴とするブラジャーを提供するものである。
【０００６】
上記のように構成した本発明ブラジャーは、カップパーツのバストトップ位置からほぼ真下にかけて略扇形のダーツを設け、バストの中心で深いダーツをとることによって、バストの大きさに応じてバストをたっぷりと包み込む深さのカップが形成され、バスト中心が胸の谷間に向けて無理に片寄せられない楽な着用ができる。
また、カップパーツの下縁とアンダーバストの正面パーツの上縁とのいせこみによって形成したアンダーバストの上縁がバストを底から支えて押し上げて、丸みと高さを強調したバストラインを形成できる。
【０００７】
本発明ブラジャーにおいて、アンダーバストの正面パーツの裏面上部に、アンダーバストの丸みに沿うよう裁断されたハイパワーのパワーネットを縫合し、正面パーツの背面に備える背面パーツの下縁の裏側に沿って、同じくハイパワーのパワーネットを水平方向に縫合した請求項２の発明によれば、ワイヤレスにもかかわらず、着用時に、下縁が前後から適宜に緊張してブラジャーのずり上がりを防止できる。
【０００８】
本発明ブラジャーにおいて、左右一対のカップパーツの外縁に、それぞれ横方向のキックバック伸縮性に富むレース生地を素材として裁断されたバストサイド片と肩吊り片を縫合し、このバストサイド片と肩吊り片の裏面に、バストサイド片と肩吊り片との連続形状に沿って裁断されたハイパワーのパワーネットを縫合した請求項３の発明によれば、バストサイドが上方に緊張されてブラジャーの緩みが防止され、かつ、脇からバストが緊張されるので、本発明ブラジャーの着用時におけるバストラインの美しさをよりいっそう強調できる。
【０００９】
本発明において、左右一対のカップパーツの裏面に、該カップパーツのダーツとほぼ同形のダーツを具えて、適宜位置にパットの挿入口を開口させた裏カップを縫合し、この裏カップと、上記カップパーツと前記カップ上パーツのそれぞれの中心線をブラジャーの中心線に一致させるとともに、該裏カップとカップ上パーツの中心線上にタックを設けた請求項４の発明によれば、バストトップを潰すことなく、たっぷりとバストをカップに包み込めるレース生地製のブラジャーの安定した着用ができる。
【００１０】
本発明ブラジャーにおいて、左右一対のカップ上パーツには、それぞれにブラジャーの中心線を超えて相互に重ね合わされるほぼ三角形の打合せ部分を延設し、この打合せ部分を上記中心線の両側で互いに縫合した請求項５の発明によれば、レース生地製のブラジャーの着用時に、バストを包んでいるカップに、互いに中央部上方に向けて引き寄せられる緊張力が作用して、バストラインの美しさが外見上強調される。
【００１１】
本発明ブラジャーにおいて、正面パーツのセンター裏側に、天竺布製の伸び止め用小片を縫合した請求項６の発明によれば、正面側と背面側とに配置したハイパワーのパワーネットによる緊張が胸部の正面中央で両側に向けてほぼ均等に配分されるので、ブラジャーの着付けがより安定する。
【００１２】
【実施例】
以下に本発明の実施例を図面について説明する。
図１は、本発明に使用する型紙を示すもので、同図中、１は、アンダーバストに当る正面パーツ、２は、左右一対のカップパーツの右半分、３は、同じく左右一対のカップ上パーツで、４は、カップパーツ２のほぼトップ位置ｔから下縁にかけて扇形に除去して得た縁４ａ、４ｂを縫合してダーツを形成する部分である。上記正面パーツ１、カップパーツ２、カップ上パーツ３は、例えばストレッチレースの中でも特に横方向のキックバック伸縮性に富むレース生地を素材とし、ほぼ図示の線に沿った形状に裁断する。
【００１３】
縁４ａ、４ｂを縫合してダーツ４を形成した左右一対のカップパーツ２は、下縁２ａを正面パーツ１の上縁１ａにいせ込みで縫い合わせてバストの底に沿った丸みを形成し、上縁２ｂをカップ上パーツ３の下縁３ａに縫合する。
なお、ダーツ４を形成したカップパーツ２との縫合により、図１中に斜めに示すカップ上パーツ３の中心線ｌは、ブラジャーの（正面パーツ１上の）中心線Ｌ上に一致する。また、図示のようにカップ上パーツ３の中心線ｌ上と、この中心線ｌと一致する後述の裏カップ９の中心線ｌ上との中央部にタック１７を設けることによって、バストトップを潰すことなく、それぞれたっぷりとバストを包み込んだ左右のカップを胸の中央部上方に引き寄せる着用ができる。
【００１４】
アンダーバストの正面パーツ１は、裏面上部に、アンダーバストの丸みに沿うように裁断されたハイパワーのパワーネット５を縫合し、さらに、この正面パーツ１の両側縁１ｂに、後述のハイパワーのパワーネット１２を下縁１０ａに縫合した背面パーツ１０を連続させることにより、上記いせ込み縫合線（１ａ、２ａ）と共にアンダーバストをブラジャーの下縁に沿って支えさせ、バストを底から持ち上げさせる。そのため、本発明ブラがワイヤレス・ブラであるにもかかわらず、ブラジャーの着用時のずれ上がりが防止できる。
【００１５】
また、左右一対のカップパーツ２は、それぞれ外側の縁２ｃに、同じ素材を使用したバストサイド片６縫合し、その上部に同じ素材の肩吊り片７を連続させ、両片６、７の連続形状に沿って裁断されたハイパワーのパワーネット８を裏面に縫合して、着用時に正面パーツ１とカップパーツ２およびカップ上パーツ３の側縁を上方向に緊張させ、サイドからの緊張によりバストを両側から引き締めてブラジャーの緩みを吸収させるので、本発明ブラジャーのバストラインの美しさがよりいっそう強調される。
【００１６】
図示のように、左右一対のカップパーツ２の裏面に、該カップパーツのダーツ４とほぼ同形のダーツ４’を具えた前述の裏カップ９を裏打ちし、さらに前述のように、中心線ｌ上にタック１７を設けると、バストを表裏のカップで二重に覆うことになり、レース生地製のブラを透視され難くするとともに、トップごとバストをたっぷりと包み込む十分な深さ具えたレース生地製のブラが安心して着用できる。
また、正面パーツ１の両側縁１ｂに、前述のように、正面パーツ１と同生地で形成した背面パーツ１０、１１（図１中虚線で囲んだパーツ）を上下に縫合し、背面パーツ１０の裏面にハイパワーのパワーネット１２を水平方向（横）に縫合すると、レース生地製ブラの下縁が全周で引き締められ、着用時における下からのずり上がりが防止できる。
【００１７】
なお、図中１３は、左右一対のカップ上パーツ３の内端に延設した打合せ部分で、図示のように、ブラジャーの中心線Ｌを超えて相互に重ね合わされるほぼ三角形に形成され、この打合せ部分１３を中心線Ｌの両側で互いに縫合することによって、レース生地製のブラジャーの着用時に、バストを包むカップを互いに中央部上方に向けて引き寄せ、その緊張力により、バストラインの美しさが外見上強調される。
また、図中１４は、正面パーツ１とその裏面のパワーネット５の中央に縫合する天竺布製の伸び止め片である。この伸び止め片１４を備えることにより、レース生地製ブラの下縁を全周で引き締める前後のパワーネット５、１２の緊張力が着用者の胸部中央で左右均等に配分され、本発明に係るブラジャーの着付けがより安定する。
【００１８】
また、１５は、正面パーツ１の下縁１ｃに縫合する同じレース生地製のウエストパーツである。
上記した正面パーツ１とウエストパーツ１５、背面パーツ１０、１１は型紙上でロングブラ用の丈を有するが、ショートブラ用には丈を短くしたり、当該部分のパーツを省くようにすることはいうまでもない。
【００１９】
次に、本発明に係るブラジャーの使用状態を図２、３について説明すると、図２に示すものは、キャミソール型ないしはファンデーション型に形成した場合のもの、図３に示すものは、ショウートブラジャー型に形成した場合のものである。
本発明の実施に際し、正面パーツ１、左右一対のカップパーツ２、左右一対のカップ上パーツ３の型紙は、図１に示す型紙の形状と大きさのみに限定されるものではなく、通常用いられているサイズ段階に合わせるとか採寸サイズに応じて、各部の形状は本発明の要旨にそって適宜に設計変更する場合があることはいうまでもない。
【００２０】
【発明の効果】
前記のように構成され、上記のように用いられるようにした本発明ブラジャーによれば、前述のように、大きさに応じてバストをダーツ付きのたっぷりとしたカップ内に包み込むことができる。また、カップ内に包み込まれたバストは、カップの下縁と正面パーツの上縁とのいせ込みにより、カップの底を支えながら下から上方に自然に持ち上げるようになるので着用時のバストラインを美しく保つことができる。
以上のように、本発明ブラジャーは、着用に無理が無く、ワイヤレスにもかかわらず幅広い年齢層の需要に応ずることができるなど、多くの優れた効果がある。
【図面の簡単な説明】
【図１】図１は、本発明に使用する型紙を示す平面図
【図２】図２は、図１の型紙を用いて形成したブラジャーの使用状態を示す斜視図
【図３】図３は、別の使用状態を示す斜視図である。
【符号の説明】
１  正面パーツ
２  カップパーツ
３  カップ上パーツ
４  ダーツ（形成部分）
５  パワーネット
６  バストサイド片
７  肩吊り片
８  パワーネット
９  裏カップ
１０  背面パーツ
１１  背面パーツ
１２  パワーネット
１３  打合せ部分
１４  伸び止め片
１５  ウエストパーツ
１６  パットの挿入口
１７  タック
【図１】
2004211257.tif 000003
【図２】
2004211257.tif 000004
【図３】
2004211257.tif 000005